(57)【特許請求の範囲】
【請求項１】
電柱の高所に取り付けられた円筒型カットアウトの下部の開口部にカバー蓋を取り付けるために使用される円筒型カットアウトのカバー蓋取付工具において、
前記カバー蓋を保持するカバー蓋保持手段と、このカバー蓋保持手段を遠隔位置から操作する遠隔操作手段と、を備え、
前記カバー蓋保持手段は、
前記遠隔操作手段に一端側が取り付けられ、前記遠隔操作手段によって開閉操作される一対のカバー蓋保持アームと、
前記一対のカバー蓋保持アームの他端側に支持軸を介して揺動可能に連結され、前記一対のカバー蓋保持アームの他端側が閉じ方向へ操作されると前記カバー蓋を捕捉し、前記一対のカバー蓋保持アームの他端側が前記カバー蓋を捕捉した状態から開き方向へ操作されると前記カバー蓋から離間する一対のカバー蓋保持ホルダと、を有し、
前記一対のカバー蓋保持ホルダは、
円柱部の一端の外周側に鍔部が張り出すように形成された前記カバー蓋に対し、前記円柱部の外周側に係合する半円筒部と、この半円筒部の一端側に形成されて前記鍔部を裏面側から支持する半中空円板部と、を有し、
前記カバー蓋を捕捉した状態において、一方のカバー蓋保持ホルダと他方のカバー蓋保持ホルダとが突き合わされ、前記円柱部を収容する円筒部を形作ると共に、前記鍔部を裏面側から支持する中空円板部を形作り、
前記一対のカバー蓋保持アームの一方と前記一対のカバー蓋保持ホルダの一方とを連結する支持軸、及び前記一対のカバー蓋保持アームの他方と前記一対のカバー蓋保持ホルダの他方とを連結する支持軸は、前記円筒部の中心軸に直交する中心線上に位置しており、
前記一対のカバー蓋保持アームの長手方向と前記カバー蓋の取付方向とのなす角度にかかわらず、前記遠隔操作手段を操作する力が前記カバー蓋保持手段の前記中空円板部を介して前記カバー蓋の鍔部の裏面側に均等に作用する、
ことを特徴とする円筒型カットアウトのカバー蓋取付工具。
【請求項２】
前記遠隔操作手段は、作業者が握って支持する支持棒と、この支持棒の先端に取り付けられて前記一対のカバー蓋保持アームを開閉操作する把持部と、この把持部に接続された伝達棒と、この伝達棒を介して把持部を操作するハンドルと、を有し、
前記把持部は、前記支持棒に固定された不動部材と、前記支持棒に支持軸を介して揺動可能に取り付けられた可動部材と、を有し、
前記可動部材は、前記伝達棒の先端に連結され、前記ハンドルによって操作される前記伝達棒によって揺動させられるようになっており、
前記不動部材の先端側は、前記一対のカバー蓋保持アームの一方の前記一端側に取り付けられた接続ホルダの係合穴に挿入され、前記接続ホルダに設置されたロック機構部によって前記接続ホルダに着脱可能に固定され、
前記可動部材の先端側は、前記一対のカバー蓋保持アームの他方の前記一端側に取り付けられた接続ホルダの係合穴に挿入され、前記接続ホルダに設置されたロック機構部によって前記接続ホルダに着脱可能に固定される、
ことを特徴とする請求項１に記載の円筒型カットアウトのカバー蓋取付工具。
【請求項３】
前記ロック機構部は、前記不動部材の先端側又は前記可動部材の先端側に形成された係止用凹部に押し込まれ、前記不動部材の先端側又は前記可動部材の先端側を前記接続ホルダに固定する係止手段を有し、
前記係止手段は、前記接続ホルダのロック機構部収容穴に螺合され、前記接続ホルダの係合穴内に進退可能に操作できるようになっている、
ことを特徴とする請求項２に記載の円筒型カットアウトのカバー蓋取付工具。
【請求項４】
前記一対のカバー蓋保持アームの一方と他方は、長手方向の略中央部が交差するように重ねられると共に、前記交差した部分が連結ピンによって相対回動可能に連結された、
ことを特徴とする請求項１乃至３のいずれかに記載の円筒型カットアウトのカバー蓋取付工具。
【発明の詳細な説明】
【技術分野】
【０００１】
この発明は、電柱の高所に取り付けられた円筒型カットアウトの下部の開口部にカバー蓋を取り付けるために使用されるカバー蓋取付工具であって、カバー蓋を円筒型カットアウトの下部の開口部に遠隔位置から容易に取り付けられるようにしたカバー蓋取付工具に関するものである。
【背景技術】
【０００２】
従来から、各家庭などの負荷装置に商用電力を供給するために、配電線から引き込み電線を分岐し、その引き込み電線の途中に各家庭などの負荷装置に応じた電圧を供給するための変圧器が設置されている。そして、配電線と変圧器との間の引き込み電線には、落雷等により変圧器容量を超える過大な電流が変圧器に流れ込むことを防止するため、ヒューズを内蔵した円筒型カットアウトを配置している。
【０００３】
図８は、円筒型カットアウト１００を示す図である。この図８に示すように、円筒型カットアウト１００は、本体碍子１０１にヒューズ筒１０２が着脱可能に装着されている。そして、図９に示すように、ヒューズ筒１０２は、絶縁筒１０３の上部に導電性キャップ１０４を介して上部電極１０５が螺合され、絶縁筒１０３の中程に軸方向に移動可能に遊嵌された下部電極１０６が外装され、絶縁筒１０３の下端に表示筒１０７が螺合されており、表示筒１０７と絶縁筒１０３が一体となって下部電極１０６に対し移動できるようになっている。下部電極１０６と表示筒１０７との間には、絶縁筒１０３を下方へ付勢する圧縮コイルスプリング１０８がプリロードを加えられた状態で且つ弾性変形可能な状態で配置されている。そして、下部電極１０６は、ヒューズ１１０がヒューズ筒１０２に装着される前の段階において、圧縮コイルスプリング１０８のばね力で付勢され、絶縁筒１０３の上方へ向かって相対的に変位させられ、絶縁筒１０３の中程に形成された係止段部１０３ａに当接されるようになっている。
【０００４】
ヒューズ筒１０２には、絶縁筒１０３の軸穴１０３ｂにヒューズ１１０が装着されるようになっている。ヒューズ１１０は、頭部金具１１０ａとリード線１１０ｂとの間に図示しないヒューズ本体を接続し、このヒューズ本体を被覆筒１１０ｃ内に収容してなるものである。このヒューズ１１０は、図１０に示すように、ヒューズ筒１０２の導電性キャップ１０４に螺合された上部電極１０５を外し、絶縁筒１０３の軸穴１０３ｂに頭部金具１１０ａを上にして挿入され、頭部金具１１０ａを絶縁筒１０３と上部電極１０５との間に挟み込むことで、上部電極１０５に電気的に接続されている。
【０００５】
ヒューズ筒１０２内に装着されたヒューズ１１０のリード線１１０ｂは、絶縁筒１０３の軸穴１０３ｂを介して表示筒１０７の先端から引き出され、表示筒１０７の先端側に形成された切り欠き溝１１１に引っ掛けて折り返し、下部電極１０６が圧縮コイルスプリング１０８を押し縮めて表示筒１０７に最も近づけられた状態において、先端部分が締付ねじ１１２で下部電極１０６に固定されている。これにより、上部電極１０５と下部電極１０６は、ヒューズ１１０によって導通接続されている。
【０００６】
図８に示すように、ヒューズ１１０が装着されたヒューズ筒１０２を本体碍子１０１に組み付けることにより、ヒューズ筒１０２の上部電極１０５が本体碍子１０１の上部固定電極１１３に嵌入されて、ヒューズ筒１０２の上部電極１０５と本体碍子１０１の上部固定電極１１３とが電気的に接続され、ヒューズ筒１０２の下部電極１０６が本体碍子１０１の下部固定電極１１４に嵌入されて、ヒューズ筒１０２の下部電極１０６と本体碍子１０１の下部固定電極１１４とが電気的に接続されている。
【０００７】
このような円筒型カットアウト１００は、落雷等で変圧器容量を超える過大な電流が配電線側から流れ込んだ場合に、ヒューズ筒１０２に装着されたヒューズ１１０が溶断し、絶縁筒１０３が圧縮コイルスプリング１０８のばね力（弾性復元力）で下部電極１０６から離間して下方向に移動させられ、ヒューズ筒１０２の上部電極１０５が本体碍子１０１の上部固定電極１１３から外れ、ヒューズ筒１０２の表示筒１０７が本体碍子１０１の下端側の開口部１０１ａに嵌め込まれたカバー蓋１１５に突き当たり、カバー蓋１１５がヒューズ筒１０２の表示筒１０７によって本体碍子１０１の開口部１０１ａから突き落とされる。カバー蓋１１５は、ロープ等の紐状部材Ｓによって本体碍子１０１に接続されており、本体碍子１０１の下端側から突き落とされた際に、本体碍子１０１の下方に紐状部材Ｓによって吊り下げられる。これによって、作業員等は、円筒型カットアウト１００のヒューズ１１０の溶断を知ることができる。なお、下部電極１０６に対する絶縁筒１０３の下方側への移動は、絶縁筒１０３の係止段部１０３ａが下部電極１０６に当接することにより規制される（特許文献１，２参照）。
【０００８】
このような円筒型カットアウト１００において、新たなヒューズ筒１０２を本体碍子１０１に装着する場合に、本体碍子１０１に紐状部材Ｓによって吊り下げられているカバー蓋１１５を、作業者が遠隔位置からカバー蓋取付工具１２０を操作して保持し、そのカバー蓋１１５を本体碍子１０１の下端側の開口部１０１ａにカバー蓋取付工具１２０によって装着するようになっている（図８、図１１、図１２参照）。
【０００９】
図１１乃至図１２は、従来から知られているカバー蓋取付工具１２０を示すものである。このカバー蓋取付工具１２０は、取付操作アダプタ１２１を絶縁操作棒１２２の先端に取り付けて成るものである。なお、取付操作アダプタ１２１は、下方に向けて開口する有底筒状の脱着部１２１ａが絶縁操作棒１２２の先端側に位置する係合頭部１２２ａに嵌合される。
【００１０】
このカバー蓋取付工具１２０は、図１３に示すように、取付操作アダプタ１２１の保持部１２３の棒状部材１２４がカバー蓋１１５を本体碍子１０１の下方に吊り下げる紐状部材Ｓに引っ掛けられた後、その棒状部材１２４がカバー蓋１１５の傘形状の鍔部１１５ａと紐状部材Ｓとの間に配置されると共に、保持部１２３の受け部材１２５がカバー蓋１１５の円柱部１１５ｂの先端側に配置される。
【００１１】
次いで、カバー蓋取付工具１２０は、図１４に示すように、その絶縁操作棒１２２が起立するように操作されることにより（図１２参照）、保持部１２３の受け部材１２５でカバー蓋１１５の円柱部１１５ｂの先端（下端）を下方から支持した状態で、カバー蓋１１５の鍔部１１５ａを本体碍子１０１の下端側の開口部１０１ａに下方から押し込み（図８参照）、カバー蓋１１５を本体碍子１０１の開口部１０１に取り付けるようになっている（特許文献３参照）。
【先行技術文献】
【特許文献】
【００１２】
【特許文献１】特開２００８−２６２８５７号公報
【特許文献２】特開２０１２−９９３８８号公報
【特許文献３】特開２００８−２４３５１４号公報
【発明の概要】
【発明が解決しようとする課題】
【００１３】
しかしながら、図１１及び図１２に示したカバー蓋取付工具１２０は、取付操作アダプタ１２１の脱着部１２１ａと保持部１２３の取付角度が蝶ねじ１２６の操作によって固定されるため、作業者が絶縁操作棒１２２を操作する位置が限られた範囲に限定されてしまい、電柱の周囲にある障害物の存在によって、カバー蓋１１５の円筒型カットアウト１００への取付作業が容易に行えない場合があった。
そこで、本発明は、カバー蓋を円筒型カットアウトの下部の開口部に取り付ける際に、作業者の作業位置を広域化することができ、カバー蓋の取付作業をより一層容易化することができるカバー蓋取付工具の提供を目的とする。
【課題を解決するための手段】
【００１４】
図１，図２，図４及び図５に示すように、本発明は、電柱の高所に取り付けられた円筒型カットアウト１００の下部の開口部１０１ａにカバー蓋２を取り付けるために使用される円筒型カットアウト１００のカバー蓋取付工具１に関するものである。この発明に係る円筒型カットアウト１００のカバー蓋取付工具１は、前記カバー蓋２を保持するカバー蓋保持手段３と、このカバー蓋保持手段３を遠隔位置から操作する遠隔操作手段４と、を備えている。そして、前記カバー蓋保持手段３は、（１）前記遠隔操作手段４に一端側が取り付けられ、前記遠隔操作手段４によって開閉操作される一対のカバー蓋保持アーム７，７と、（２）前記一対のカバー蓋保持アーム７，７の他端側に支持軸２７を介して揺動可能に連結され、前記一対のカバー蓋保持アーム７，７の他端側が閉じ方向へ操作されると前記カバー蓋２を捕捉し、前記一対のカバー蓋保持アーム７，７の他端側が前記カバー蓋２を捕捉した状態から開き方向へ操作されると前記カバー蓋２から離間する一対のカバー蓋保持ホルダ８，８と、を有している。また、前記一対のカバー蓋保持ホルダ８，８は、（１）円柱部２ｓの一端の外周側に鍔部２ｂが張り出すように形成された前記カバー蓋２に対し、前記円柱部２ａの外周側に係合する半円筒部３０ａと、この半円筒部３０ａの一端側に形成されて前記鍔部２ｂを裏面側から支持する半中空円板部３１ａと、を有し、（２）前記カバー蓋２を捕捉した状態において、一方のカバー蓋保持ホルダ８と他方のカバー蓋保持ホルダ８とが突き合わされ、前記円柱部２ａを収容する円筒部３０を形作ると共に、前記鍔部２ｂを裏面側から支持する中空円板部３１を形作るようになっている。また、前記一対のカバー蓋保持アーム７，７の一方と前記一対のカバー蓋保持ホルダ８，８の一方とを連結する支持軸２７、及び前記一対のカバー蓋保持アーム７，７の他方と前記一対のカバー蓋保持ホルダ８，８の他方とを連結する支持軸２７は、前記円筒部３０の中心軸３３に直交する中心線３４上に位置している。そして、前記一対のカバー蓋保持アーム７，７の長手方向と前記カバー蓋２の取付方向とのなす角度にかかわらず、前記遠隔操作手段４を操作する力が前記カバー蓋保持手段３の前記中空円板部３１を介して前記カバー蓋２の鍔部２ｂの裏面側に均等に作用するようになっている。
【発明の効果】
【００１５】
本発明によれば、カバー蓋を円筒型カットアウトの下部の開口部に取り付ける際に、一対のカバー蓋保持アームの長手方向とカバー蓋の取付方向とのなす角度にかかわらず、遠隔操作手段を操作する力がカバー蓋保持手段の中空円板部を介してカバー蓋の鍔部の裏面側に均等に作用するようになっているため、作業者の作業位置を広域化することができ、カバー蓋の取付作業を容易化することができる。
【図面の簡単な説明】
【００１６】
【図１】本発明の実施の形態に係るカバー蓋取付工具のカバー蓋保持手段を示す図である。図１（ａ）は、開いた状態のカバー蓋保持手段の平面図である。図１（ｂ）は、閉じた状態のカバー蓋保持手段の平面図である。図１（ｃ）は、図１（ｂ）のカバー蓋保持手段の右側面図である。
【図２】図２（ａ）は、本発明の実施の形態に係るカバー蓋取付工具の遠隔操作手段（絶縁ヤットコ）を示す正面図である。図２（ｂ）は、図２（ａ）のＡ１，Ａ２方向から見た遠隔操作手段の把持部の一部拡大図である。
【図３】図３（ａ）は、カバー蓋保持手段を構成する接続ホルダの平面図である。図３（ｂ）は、カバー蓋保持手段を構成する接続ホルダの正面図（図３（ａ）のＡ３方向から見た図）である。図３（ｃ）は、図３（ｂ）のＢ１−Ｂ１線に沿って切断して示す断面図である。
【図４】本発明の実施の形態に係るカバー蓋取付工具の作動範囲を示す図である。
【図５】本発明の実施の形態に係るカバー蓋取付工具の使用例を示す図である。
【図６】カバー蓋保持ホルダの変形例を示す図である。
【図７】接続ホルダのロック機構部の変形例を示す図である。
【図８】円筒型カットアウトの構造を示す断面図である。
【図９】図９（ａ）は、円筒型カットアウトに使用されるヒューズ筒を示す図であり、半分を断面して示す図である。図９（ｂ）は、ヒューズを示す正面図である。
【図１０】図１０（ａ）は、ヒューズ筒にヒューズを取り付けた状態を示す断面図である。図１０（ｂ）は、ヒューズ筒にヒューズを取り付けた状態を示す図であり、下部電極と表示筒の近傍を拡大して示す図である。
【図１１】従来のカバー蓋取付工具を構成する取付操作アダプタを示す外観斜視図である。
【図１２】従来のカバー蓋取付工具を構成する絶縁操作棒を示す正面図である。
【図１３】従来のカバー蓋取付工具の第１使用例を示す図である。
【図１４】従来のカバー蓋取付工具の第２使用例を示す図である。
【発明を実施するための形態】
【００１７】
以下、本発明の実施の形態を図面に基づき詳述する。
図１乃至図２は、本発明の実施の形態に係る円筒型カットアウトのカバー蓋取付工具１を示すものである。これらの図に示すように、カバー蓋取付工具１は、カバー蓋２を保持するカバー蓋保持手段３と、このカバー蓋保持手段３を遠隔位置から操作するために使用される遠隔操作手段４と、を備えている（図５参照）。遠隔操作手段４としては、間接活線工具として広く知られている絶縁ヤットコの把持部５の先端部分を加工したものが使用されている。そして、絶縁ヤットコの把持部５の先端をカバー蓋保持手段３の接続ホルダ６に装着して、把持部５の先端部分にカバー蓋保持手段３を取り付けるようになっている。なお、遠隔操作手段４は、絶縁ヤットコと言い換えて説明する。
【００１８】
図１及び図３は、カバー蓋保持手段３を示す図である。なお、図１（ａ）は、開いた状態のカバー蓋保持手段３の平面図である。また、図１（ｂ）は、閉じた状態のカバー蓋保持手段３の平面図である。また、図１（ｃ）は、図１（ｂ）のカバー蓋保持手段３の右側面図である。また、図３（ａ）は、カバー蓋保持手段３を構成する接続ホルダ６の平面図である。図３（ｂ）は、カバー蓋保持手段３を構成する接続ホルダ６の正面図（図３（ａ）のＡ３方向から見た図）である。また、図３（ｃ）は、図３（ｂ）のＢ１−Ｂ１線に沿って切断して示す断面図である。
【００１９】
図１及び図３に示すように、カバー蓋保持手段３は、絶縁ヤットコ４の把持部５の先端部分に係合される一対の接続ホルダ６，６と、この一対の接続ホルダ６，６のそれぞれに揺動可能に取り付けられたカバー蓋保持アーム７，７と、このカバー蓋保持アーム７，７の先端側に取り付けられたカバー蓋保持ホルダ８，８と、を備えている。
【００２０】
図２に示すように、絶縁ヤットコ４は、作業者が握って支持する支持棒１０と、この支持棒１０の先端に取り付けられた把持部５と、この把持部５に接続された伝達棒１１と、この伝達棒１１を介して把持部５を操作するハンドル１２と、を有している。把持部５は、支持棒１０に固定された不動部材１３と、支持棒１０に支持軸１４を介して揺動可能に取り付けられた可動部材１５と、からなっている。そして、可動部材１５は、伝達棒１１の先端に連結され、ハンドル１２によって操作される伝達棒１１によって揺動させられるようになっている。また、把持部５の不動部材１３と可動部材１５は、カバー蓋保持手段３の接続ホルダ６に形成された係合穴１６に挿入できるようになっている。また、把持部５の不動部材１３と可動部材１５は、接続ホルダ６に設置されたロック機構部１７の係止手段１８（軸部２５）と係合する係止用凹部２０が先端側に形成されており、ロック機構部１７の係止手段１８によって接続ホルダ６に着脱可能に固定されるようになっている（図３参照）。なお、この絶縁ヤットコ４は、絶縁性を確保するために、ほぼ全体がプラスチックやゴムなどの絶縁材料で形成されている。
【００２１】
図１及び図３に示すように、カバー蓋保持手段３の接続ホルダ６は、絶縁ヤットコ４の把持部５（不動部材１３又は可動部材１５）の先端部分を収容する有底の係合穴１６が形成され、この係合穴１６に対してロック機構部１７の係止手段１８が進退可能に設置されている。ロック機構部１７は、係合穴１６に直交するように開口するロック機構部収容穴２１と、このロック機構部収容穴２１に螺合された係止手段（係止用ねじ）１８とによって構成されている。係止手段１８は、他部よりも大径の頭部２２がロック機構部収容穴２１の外部に位置し、雄ねじ部２３がロック機構部収容穴２１の雌ねじ部２４に螺合され、軸部２５がロック機構部収容穴２１に隙間をもって収容されており、軸部２５の先端側が係合穴１６内に進退できるようになっている。この係止手段１８は、頭部２２が回動操作されることによって、雄ねじ部２３と雌ねじ部２４の螺合量が変化し、軸部２５の先端側が係合穴１６内に押し出されるか、又は、軸部２５の先端側が係合穴１６内から退出させられる。係止手段１８の軸部２５の先端は、円錐状に形成され、絶縁ヤットコ４の把持部５（不動部材１３，可動部材１５）の先端に形成された係止用凹部（円錐状の凹み）２０に凹凸係合され、カバー蓋保持手段３と絶縁ヤットコ４とを固定する。
【００２２】
図１及び図４に示すように、カバー蓋保持手段３のカバー蓋保持アーム７は、その一端側が接続ホルダ６に支持軸２６を介して揺動可能に取り付けられ、その他端側がカバー蓋保持ホルダ８に支持軸２７を介して揺動可能に取り付けられている。そして、一対の接続ホルダ６，６に取り付けられた一対のカバー蓋保持アーム７，７は、その長手方向の略中央部が交差するように重ねられ、その交差部が連結ピン２８によって相対回動できるように連結されている。このような一対のカバー蓋保持アーム７，７は、一対の接続ホルダ６，６を近づけることにより、一対のカバー蓋保持ホルダ８，８同士を突き合わせることができるようになっている。そして、一対のカバー蓋保持アーム７，７は、図１（ａ）及び図１（ｂ）に示すように、接続ホルダ６，６に対し、Ｘ−Ｙ座標面に沿って揺動できるようになっている。また、一対のカバー蓋保持アーム７，７は、図１（ｃ）及び図４に示すように、カバー蓋保持ホルダ８，８に対し、Ｚ−Ｙ座標面に沿って揺動できるようになっている。
図１に示すように、一対のカバー蓋保持ホルダ８，８は、カバー蓋保持アーム７，７によって突き合わされると、カバー蓋２の円柱部２ａを収容する円筒部３０が形作られると共に、カバー蓋２の鍔部２ｂを支持する中空円板部３１が形作られ、カバー蓋２の円柱部２ａを収容するカバー蓋捕捉穴３２が中心部に形作られるようになっている（図５参照）。各カバー蓋保持ホルダ８は、円筒部３０を半割した形状の半円筒部３０ａと、中空円板部３１を半割した形状の半中空円板部３１ａと、を有している。半中空円板部３１ａは、半円筒部３０ａの一端側に一体に形成され、半円筒部３０ａの外周面側に張り出している。
【００２３】
このように構成されたカバー蓋取付工具１は、図１，図２及び図５に示すように、絶縁ヤットコ４のハンドル１２を操作することにより、把持部５の可動部材１５を不動部材１３に近づける方向へ揺動させ、一対のカバー蓋保持アーム７，７の一端側と他端側とを近づける方向に移動させると、一対のカバー蓋保持ホルダ８，８が突き合わされ、円筒型カットアウト１００の本体碍子１０１の下端側に紐状部材Ｓで釣り下げられたカバー蓋２を一対のカバー蓋保持ホルダ８，８によって捕捉できるようになっている。
【００２４】
図５は、このカバー蓋取付工具１の使用例を示すものであり、円筒型カットアウト１００の本体碍子１０１に紐状部材Ｓで吊り下げられたカバー蓋２をカバー蓋取付工具１によって本体碍子１０１の下端側の開口部１０１ａに取り付ける作業の一例を示すものである。
【００２５】
図５（ａ）に示すように、カバー蓋取付工具１は、カバー蓋保持ホルダ３の半中空円板部３１ａが半円筒部３０ａに対して下方に位置するように（下向きに）保持された状態において、絶縁ヤットコ４のハンドル１２が操作され、カバー蓋２を本体碍子１０１に吊り下げる紐状部材Ｓがカバー蓋捕捉穴３２内に収容されるように、一対のカバー蓋保持ホルダ８，８が突き合わされる（図１，図２参照）。この際、カバー蓋取付工具１は、ほぼ水平方向に保持されている。
【００２６】
次に、図５（ｂ）に示すように、カバー蓋取付工具１は、紐状部材Ｓに沿ってカバー蓋保持ホルダ８が降下させられ、カバー蓋２の円柱部２ａを一対のカバー蓋保持ホルダ８，８によって形作られるカバー蓋捕捉穴３２内に収容し、一対のカバー蓋保持ホルダ８，８によって形作られる中空円板部３１がカバー蓋２の鍔部２ｂの背面側に突き当てられる。
【００２７】
次に、図５（ｃ）に示すように、カバー蓋取付工具１は、上向きに持ち替えられ、カバー蓋２の鍔部２ｂがカバー蓋２の円柱部２ａに対して上方に配置される。
【００２８】
次に、図５（ｄ）に示すように、カバー蓋取付工具１は、操作方向をほぼ水平方向から斜め下方へ変え、カバー蓋２の鍔部２ｂを本体碍子１０１の下端側の開口部１０１ａに押し込むように操作される。この際、図１（ｂ）及び図１（ｃ）に示すように、カバー蓋保持アーム７とカバー蓋保持ホルダ８を揺動可能に接続する支持軸２７が円筒部３０の中心軸３３（カバー蓋２の円柱部２ａの中心軸）に直交する中心線３４上に位置し、且つ、一対の支持軸２７，２７が円筒部３０の中心軸３３に対して左右対称に位置するようになっているため、カバー蓋保持アーム７，７からカバー蓋保持ホルダ８，８に伝えられた作業者の力がカバー蓋２の中心軸２ｃに沿って（図５（ｄ）の取付方向に沿って）作用することになり、カバー蓋２の鍔部２ｂがカバー蓋保持ホルダ８，８の中空円板部３１によって均等な力で支持される。その結果、カバー蓋２は、本体碍子１０１の開口部１０１ａに複数配置されているばね部材３５を弾性変形させ、本体碍子１０１の開口部１０１ａに傾いて嵌め込まれることがなく、本体碍子１０１の開口部１０１ａに円滑且つ確実に嵌め込まれる。なお、カバー蓋取付工具１は、図５（ｃ）に示したように、カバー蓋２の取付方向に対してほぼ直交する方向（ほぼ水平な方向）であっても、カバー蓋２を本体碍子１０１の開口部１０１ａに円滑且つ確実に嵌め込むことができる。
【００２９】
図５（ｅ）に示すように、カバー蓋取付工具１は、カバー蓋２の取付方向に沿って配置させた場合には、作業者による押し上げられる力（操作力）がカバー蓋２の取付方向に沿って作用することになり、カバー蓋２を本体碍子１０１の開口部１０１ａに円滑且つ確実に取り付けることができる。
【００３０】
以上のように、本実施形態に係るカバー蓋取付工具１は、カバー蓋２の取付方向に沿った方向からカバー蓋２の取付方向にほぼ直交する方向までのどの位置に配置されても（カバー蓋２の取付方向に対して、０°〜ほぼ９０°のどの位置にあっても）、カバー蓋２を本体碍子１０１の開口部１０１ａに円滑且つ確実に取り付けることができる。
【００３１】
すなわち、本実施形態に係るカバー蓋取付工具１は、カバー蓋２を円筒型カットアウト１００の本体碍子１０１の開口部１０１ａに取り付ける際に、一対のカバー蓋保持アーム７，７の長手方向とカバー蓋２の取付方向とのなす角度にかかわらず、絶縁ヤットコ４を操作する力がカバー蓋保持手段３の中空円板部３１を介してカバー蓋２の鍔部２ｂの裏面側に均等に作用し、カバー蓋２を本体碍子１０１の開口部１０１ａに円滑且つ確実に取り付けることができるため、作業者の作業範囲が狭く限定される従来例に比較して、作業者の作業位置を広域化することができ、カバー蓋２の取付作業を容易化することができる。
【００３２】
（第１変形例）
図６は、カバー蓋保持ホルダ８の変形例を示す図である。
この図６に示すように、カバー蓋保持ホルダ８は、半中空円板部３１ａの裏面を外周に向かうにしたがって半中空円板部３１ａの板厚が薄くなる傾斜面３６とすることにより、本体碍子１０１の開口部１０１ａのばね部材３５に接触し難くなり、カバー蓋２の取付作業がより一層容易化する（図５参照）。
【００３３】
（第２変形例）
図７は、接続ホルダ６のロック機構部１７の変形例を示す図である。
この図７に示すように、ロック機構部１７は、係合穴１６に直交するように開口するロック機構部収容穴２１に収容されており、ばね３７によって付勢されたボール３８の一部が係合穴１６内に出っ張るようになっている。このロック機構部１７のばね３７は、一端がボール３８に当接し、他端がロック機構部収容穴２１の開口端に螺着されたばね受け部材４０で支持され、ボール３８を係合穴１６内に押し出す方向へ常時付勢するようになっている。ロック機構部１７のボール３８は、ロック機構部収容穴２１の係合穴１６側端部に位置するテーパ状端縁４１にばね３７の弾性力で押し当てられ、係合穴１６内への突出量が所定寸法となるように規制された状態で弾性的に保持されている。
【００３４】
このようなロック機構部１７は、絶縁ヤットコ４の把持部５の先端部分が接続ホルダ６の係合穴１６内に挿入されると、ボール３８が絶縁ヤットコ４の把持部５の先端によって押圧され、ボール３８がばね３７を押し縮めて係合穴１６内からロック機構部収容穴２１内へ押し出され、その後、絶縁ヤットコ４の把持部５の係止用凹部２０がロック機構部収容穴２１の係合穴１６側端部に到達すると、ボール３８がばね３７に付勢されて係合穴１６内に押し出されると共に絶縁ヤットコ４の把持部５の係止用凹部２０に係合し、絶縁ヤットコ４の把持部５の先端部分を接続ホルダ６の係合穴１６内において弾性的に保持し、カバー蓋保持手段３と絶縁ヤットコ４とを固定する（図１及び図２参照）。また、ロック機構部１７は、絶縁ヤットコ４の把持部５の先端部分が接続ホルダ６の係合穴１６から引き抜く方向へ引っ張られると、ボール３８が把持部５の係止用凹部２０の傾斜面によって押され、そのボール３８がばね３７を押し縮めてロック機構部収容穴２１側へ移動させられ、ボール３８と把持部５の係止用凹部２０との係合が解除され、カバー蓋保持手段３と絶縁ヤットコ４とが分離される（図１及び図２参照）。なお、把持部５の係止用凹部２０としては、円錐形状の凹みの他に、円錐台形状の凹みや、球面の一部を切り取ったような曲面状の凹み等が考えられる。
【符号の説明】
【００３５】
１……カバー蓋取付工具
２……カバー蓋
２ａ……円柱部
２ｂ……鍔部
３……カバー蓋保持手段
４……遠隔操作手段（絶縁ヤットコ）
７……カバー蓋保持アーム
８……カバー蓋保持ホルダ
２７……支持軸
３０……円筒部
３０ａ……半円筒部
３１……中空円板部
３１ａ……半中空円板部
３３……中心軸
３４……中心線
１００……円筒型カットアウト
１０１ａ……開口部
【要約】
【課題】カバー蓋を円筒型カットアウトの開口部に取り付ける際に、作業者の作業位置を広域化することができ、カバー蓋の取付作業を容易に行えるようにする。
【解決手段】カバー蓋取付工具１は、カバー蓋２を保持するカバー蓋保持手段３と、このカバー蓋保持手段３を遠隔位置から操作する遠隔操作手段４と、を備えている。そして、カバー蓋保持手段３は、遠隔操作手段４によって開閉操作される一対のカバー蓋保持アーム７，７と、一対のカバー蓋保持アーム７，７の他端側に支持軸２７を介して揺動可能に連結された一対のカバー蓋保持ホルダ８，８と、を有している。一対のカバー蓋保持アーム７，７の長手方向と前記カバー蓋の取付方向とのなす角度にかかわらず、遠隔操作手段４を操作する力がカバー蓋保持ホルダ８，８を介してカバー蓋の鍔部２ｂの裏面側に均等に作用する。
【選択図】図５【図１】
0005456146.tif 000002
【図２】
0005456146.tif 000003
【図３】
0005456146.tif 000004
【図４】
0005456146.tif 000005
【図５】
0005456146.tif 000006
【図６】
0005456146.tif 000007
【図７】
0005456146.tif 000008
【図８】
0005456146.tif 000009
【図９】
0005456146.tif 000010
【図１０】
0005456146.tif 000011
【図１１】
0005456146.tif 000012
【図１２】
0005456146.tif 000013
【図１３】
0005456146.tif 000014
【図１４】
0005456146.tif 000015